(57)【特許請求の範囲】
【請求項１】
被検体の右手及び右手首並びに左手及び左手首が並んで載置される載置面を有する載置部と、
前記右手及び右手首並びに左手及び左手首を押える押え面を有する押え部とを具備する固定具。
【請求項２】
被検体の右手と右手首が載置可能な第１の載置面を有する第１の載置部、および、
前記被検体の左手と左手首とが載置可能な第２の載置面を有する第２の載置部
を有する、請求項１に記載の固定具。
【請求項３】
前記第１の載置部は第１の凹部を有し、前記第２の載置部は第２の凹部を有し、
前記第１の凹部の底面が前記第１の載置面であり、前記第２の凹部の底面が前記第２の載置面である、請求項２に記載の固定具。
【請求項４】
前記第１の載置面および前記第２の載置面は、圧力が加えられることにより変形することが可能である、請求項２又は３に記載の固定具。
【請求項５】
前記第１の載置部は、圧力が加えられることにより変形する第１の変形可能部材を有し、
前記第２の載置部は、圧力が加えられることにより変形する第２の変形可能部材を有し、
前記第１の変形可能部材の底面が前記第１の載置面であり、前記第２の変形可能部材の底面が前記第２の載置面である、請求項４に記載の固定具。
【請求項６】
前記第１の載置部は、前記第１の変形可能部材を支持する第１の支持部を有し、
前記第２の載置部は、前記第２の変形可能部材を支持する第２の支持部を有する、請求項５に記載の固定具。
【請求項７】
前記第１の載置面は、前記第２の載置面に繋がっている、請求項１〜６のうちのいずれか一項に記載の固定具。
【請求項８】
前記第１の載置面と前記第２の載置面とを分離する仕切り部を有する、請求項１〜６のうちのいずれか一項に記載の固定具。
【請求項９】
前記第１の載置面および前記第２の載置面の角度を調整する角度調整機構を有する、請求項１〜８のうちのいずれか一項に記載の固定具。
【請求項１０】
前記右手および前記右手首を押える第１の押え面を有する第１の押え部、および
前記左手および前記左手首を押える第２の押え面を有する第２の押え部、
を有する、請求項１〜９のうちのいずれか一項に記載の固定具。
【請求項１１】
前記第１の押え部および前記第２の押え部を有する押え蓋を有し、
前記押え蓋の後方側の角部は、切り欠かれた形状を有する、請求項１０に記載の固定具。
【請求項１２】
前記第１の載置部の高さと前記第２の載置部の高さを調節する高さ調節機構を有する、請求項１〜１１のうちのいずれか一項に記載の固定具。
【請求項１３】
前記被検体の両手および／又は両手首からのＭＲ信号を電気信号に変換する第１の変換手段を有する、請求項１〜１２のうちのいずれか一項に記載の固定具。
【請求項１４】
前記第１の変換手段は、複数のコイルエレメントを有する、請求項１３に記載の固定具。
【請求項１５】
前記第１の載置部と前記第２の載置部と前記第１の変換手段とを有する載置台本体、および
前記載置台が取り付けられる載置台基部、
を有する請求項１３又は１４に記載の固定具。
【請求項１６】
前記載置台本体は、前記載置台基部に着脱自在に取り付けられる、請求項１５に記載の固定具。
【請求項１７】
前記被検体の両手および／又は両手首からのＭＲ信号を電気信号に変換する第２の変換手段を有する、請求項１０〜１６のうちのいずれか一項に記載の固定具。
【請求項１８】
前記第２の変換手段は、複数のコイルエレメントを有する、請求項１７に記載の固定具。
【請求項１９】
前記押え蓋は、
前記第１の押え部と前記第２の押え部と前記第２の変換手段とを有する押え蓋本体、および
前記押え蓋本体が取り付けられる押え蓋基部、
を有する請求項１７又は１８に記載の固定具。
【請求項２０】
前記押え蓋本体は、前記押え蓋基部に着脱自在に取り付けられる、請求項１９に記載の固定具。
【請求項２１】
被検体を支持する被検体支持システムであって、
請求項１〜２０のうちのいずれか一項に記載の固定具を有する被検体支持システム。
【請求項２２】
前記被検体の上半身を支持する上半身支持部材を有する請求項２１に記載の被検体支持システム。
【請求項２３】
前記被検体の両肘を支持する肘支持部材を有する請求項２１又は２２に記載の被検体支持システム。
【請求項２４】
前記肘支持部材は、
右肘を下から支持する右肘支持台、
左肘を下から支持する左肘支持台、および
右肘および左肘を横から支持するベルト、
を有する請求項２３に記載の被検体支持システム。
【請求項２５】
請求項１〜２０に記載の固定具又は請求項２１〜２４に記載の被検体支持システムを有しており、請求項１〜２０に記載の固定具に両手が載置された被検体を撮像するＭＲＩ装置。
【発明の詳細な説明】
【技術分野】
【０００１】
本発明は、被検体の両手および両手首を固定する固定具に関する。
【背景技術】
【０００２】
関節炎の診断にＭＲＩ装置が使用され始めている。関節炎の中でも、リウマチ性関節炎は、人間の体軸に対して左右対称の位置で起きるという特徴を有している。この特徴は、リウマチ性関節炎と他の関節炎とを区別する基準の一つになっている。したがって、患者さんが手や手首に関節炎を発症している場合は、リウマチ性関節炎であるか否かかの診断を行うために、患者さんの両手や両手首を同時に撮像することが望ましい。
【先行技術文献】
【特許文献】
【０００３】
【特許文献１】特開２００６−２６０７６号公報
【発明の概要】
【発明が解決しようとする課題】
【０００４】
しかし、関節炎を発症している患者さんは、腕部を長時間同じ位置に保持しておくことが困難な場合が多く、撮像時に患者さんに負担が掛かかるという問題がある。
【０００５】
本発明は、上記の事情に鑑み、撮像時の被検体の負担を軽減する固定具を提供することを目的とする。
【課題を解決するための手段】
【０００６】
第１の観点では、被検体の右手と右手首が載置される第１の載置面を有する第１の載置部、および前記被検体の左手と左手首とが載置される第２の載置面を有する第２の載置部、を有する固定具であって、前記第１の載置面と前記第２の載置面は横方向に並んでいる、固定具である。
【０００７】
第２の観点では、前記第１の載置部は第１の凹部を有し、前記第２の載置部は第２の凹部を有し、前記第１の凹部の底面が前記第１の載置面であり、前記第２の凹部の底面が前記第２の載置面である、第１の観点の固定具である。
【０００８】
第３の観点では、前記第１の載置面および前記第２の載置面は、圧力が加えられることにより変形することが可能である、第１又は２の観点の固定具である。
【０００９】
第４の観点では、前記第１の載置部は、圧力が加えられることにより変形する第１の変形可能部材を有し、前記第２の載置部は、圧力が加えられることにより変形する第２の変形可能部材を有し、前記第１の変形可能部材の底面が前記第１の載置面であり、前記第２の変形可能部材の底面が前記第２の載置面である、第３の観点の固定具である。
【００１０】
第５の観点では、前記第１の載置部は、前記第１の変形可能部材を支持する第１の支持部を有し、前記第２の載置部は、前記第２の変形可能部材を支持する第２の支持部を有する、第４の観点の固定具である。
【００１１】
第６の観点では、前記第１の載置面は、前記第２の載置面に繋がっている、第１〜５の観点のうちのいずれかの固定具である。
【００１２】
第７の観点では、前記第１の載置面と前記第２の載置面とを分離する仕切り部を有する、第１〜５の観点うちのいずれかの固定具である。
【００１３】
第８の観点では、前記第１の載置面および前記第２の載置面の角度を調整する角度調整機構を有する、第１〜７の観点うちのいずれかの固定具である。
【００１４】
第９の観点では、前記右手および前記右手首を押える第１の押え面を有する第１の押え部、および前記左手および前記左手首を押える第２の押え面を有する第２の押え部、を有する、第１〜８の観点うちのいずれかの固定具である。
【００１５】
第１０の観点では、前記第１の押え部および前記第２の押え部を有する押え蓋を有し、前記押え蓋の後方側の角部は、切り欠かれた形状を有する、第９の観点の固定具である。
【００１６】
第１１の観点では、前記第１の載置部の高さと前記第２の載置部の高さを調節する高さ調節機構を有する、第１〜１０の観点のうちのいずれかの固定具である。
【００１７】
第１２の観点では、前記被検体の両手および／又は両手首からのＭＲ信号を電気信号に変換する第１の変換手段を有する、第１〜１１の観点のうちのいずれかの固定具である。
【００１８】
第１３の観点では、前記第１の変換手段は、複数のコイルエレメントを有する、第１２の観点の固定具である。
【００１９】
第１４の観点では、前記第１の載置部と前記第２の載置部と前記第１の変換手段とを有する載置台本体、および前記載置台が取り付けられる載置台基部、を有する第１２又は１３の観点の固定具である。
【００２０】
第１５の観点では、前記載置台本体は、前記載置台基部に着脱自在に取り付けられる、第１４の観点の固定具である。
【００２１】
第１６の観点では、前記被検体の両手および／又は両手首からのＭＲ信号を電気信号に変換する第２の変換手段を有する、第１０〜１５の観点うちのいずれかの固定具である。
【００２２】
第１７の観点では、前記第２の変換手段は、複数のコイルエレメントを有する、第１６の観点の固定具である。
【００２３】
第１８の観点では、前記押え蓋は、前記第１の押え部と前記第２の押え部と前記第２の変換手段とを有する押え蓋本体、および前記押え蓋本体が取り付けられる押え蓋基部、を有する第１６又は１７の観点の固定具である。
【００２４】
第１９の観点では、前記押え蓋本体は、前記押え蓋基部に着脱自在に取り付けられる、第１８の観点の固定具である。
【００２５】
第２０の観点では、被検体を支持する被検体支持システムであって、第１〜１９の観点うちのいずれかの固定具を有する被検体支持システムである。
【００２６】
第２１の観点では、前記被検体の上半身を支持する上半身支持部材を有する第２０の観点の被検体支持システムである。
【００２７】
第２２の観点では、前記被検体の両肘を支持する肘支持部材を有する第２０又は２１の観点の被検体支持システムである。
【００２８】
第２３の観点では、前記肘支持部材は、右肘を下から支持する右肘支持台、左肘を下から支持する左肘支持台、および右肘および左肘を横から支持するベルト、を有する第２２の観点の被検体支持システムである。
【発明の効果】
【００２９】
本発明の固定具は、右手と右手首が載置される第１の載置面と、左手と左手首とが載置される第２の載置面と、を有している。したがって、被検体は、右手と右手首を第１の載置面に載置し、左手と左手首を第２の載置面に載置することによって、腕部を長時間同じ姿勢で容易に保持しておくことができる。
【００３０】
また、本発明の固定具は、上記第１の載置面と上記第２の載置面は横方向に並んでいる。したがって、右手と右手首、および左手と左手首を、ほぼ同一面内に配置することができ、被検体の両手又は両手首を同時に撮像することができる。
【図面の簡単な説明】
【００３１】
【図１】被検体を撮像するＭＲＩ装置を示す斜視図である。
【図２】図１の側面図である。
【図３】固定具１００の斜視図である。
【図４】押え蓋３００を開いた状態の固定具１００の斜視図である。
【図５】押え蓋３００を固定具本体２００から分離させた状態で固定具１００を示す図である。
【図６】固定具本体２００の分解斜視図である。
【図７】載置台１２０の分解図である。
【図８】載置台本体４０の分解斜視図である。
【図９】支持部材４２の裏面図である。
【図１０】図９のＡ−Ａ断面図である。
【図１１】図７に示す載置台基部３０の正面図である。
【図１２】図７に示す載置台基部３０の右側側面図である。
【図１３】図７に示す載置台基部３０のＡ−Ａ断面図である。
【図１４】２つの脚部１１０の分解図である。
【図１５】下側脚部１０１の上面図である。
【図１６】高さの異なる脚部１１０を示す図である。
【図１７】取付け前の載置台１２０および２つの脚部１１０の正面図である。
【図１８】図１７の右側側面図である。
【図１９】２つの脚部１１０が隙間３８に差し込まれた後の載置台１２０および２つの脚部１１０の正面図である。
【図２０】図１９の右側側面図である。
【図２１】載置台１２０を２つの脚部１１０に対して回動させた後の載置台１２０および２つの脚部１１０の正面図である。
【図２２】図２１の右側側面図である。
【図２３】押え蓋３００の分解図である。
【図２４】被検体８をどのような姿勢に保持するかの説明図である。
【図２５】載置面５０Ｒおよび５０Ｌに載置された両手および両手首を示す図である。
【発明を実施するための形態】
【００３２】
以下に、発明を実施するための最良の形態について、ＭＲＩ装置で被検体を撮像するときに使用される固定具について説明する。しかし、本発明の固定具は、この形態に限定されるものではない。
【００３３】
図１は、被検体８を撮像するＭＲＩ装置を示す斜視図、図２は、図１の側面図である。
【００３４】
ＭＲＩ装置１はマグネットシステム２を有している。マグネットシステム２にはテーブル４が取り付けられている。テーブル４は、クレドール５を有している。クレドール５は、Ｚ方向および−Ｚ方向に移動する。クレドール５には被検体８が寝かされている。被検体８の上半身は、上半身支持部材５００によって斜めに起こされている。被検体８には本発明の一形態の固定具１００が設置されている。固定具１００は、被検体８の両手および両手首を固定している。また、被検体８の両肘は肘支持部材６００およびベルト７００によって支持されている。クレドール５がＺ方向に移動すると、被検体８はマグネットシステム２のボア３内に搬入され、クレドール５が−Ｚ方向に移動すると、被検体８はボア３から搬出される。
【００３５】
次に、図１および図２に示す本発明の一形態の固定具１００について具体的に説明する。
【００３６】
図３は、固定具１００の斜視図である。
【００３７】
固定具１００は、撮像中に、被検体８の両手および両手首が動かないように固定するものである。
【００３８】
固定具１００は、固定具本体２００と、この固定具本体２００の上部を覆う押え蓋３００と、を有している。押え蓋３００は、起立させることができるように構成されている。
【００３９】
図４は、押え蓋３００を開いた状態の固定具１００の斜視図である。
【００４０】
押え蓋３００は、Ｙ軸を中心に角度θの範囲で回動可能な状態で固定具本体２００に固定されている。
【００４１】
図５は、押え蓋３００を固定具本体２００から分離させた状態で固定具１００を示す図である。
【００４２】
固定具１００は、２つの蝶番４００Ｒおよび４００Ｌを有している。蝶番４００Ｒは、固定具本体２００に取り付けられる平板部４０１Ｒと、押え蓋３００に取り付けられる平板部４０２Ｒと、を有している。また、蝶番４００Ｌは、固定具本体２００に取り付けられる平板部４０１Ｌと、押え蓋３００に取り付けられる平板部４０２Ｌと、を有している。２つの蝶番４００Ｒおよび４００Ｌが、固定具本体２００および押え蓋３００に取り付けられることによって、押え蓋３００は、固定具本体２００に対して、Ｙ軸（図４参照）を中心に角度θの範囲で回動することができる。
【００４３】
図４に戻って説明を続ける。
【００４４】
固定具本体２００は、被検体８の右手と右手首が載置される右用載置面５０Ｒと、被検体の左手と左手首が載置される左用載置面５０Ｌと、を有している。右用載置面５０Ｒおよび左用載置面５０Ｌは、横方向（Ｙ方向）に並ぶように設けられている。ＭＲＩ装置１を使用して被検体８の両手および両手首を撮像する場合、被検体８の右手および右手首が右用載置面５０Ｒに載置され、被検体８の左手および左手首が左用載置面５０Ｌに載置される。その後、押え蓋３００を倒す。押え蓋３００を倒すと、押え蓋３００の押え面５１Ｒが被検体８の右手および右手首を押えるとともに、押え蓋３００の押え面５１Ｌが被検体８の左手および左手首を押える。したがって、被検体８の両手および両手首を固定具本体２００と押え蓋３００との間に固定することができる。
【００４５】
次に、固定具本体２００および押え蓋３００の構造について順に説明する。
【００４６】
図６は、固定具本体２００の分解斜視図である。
【００４７】
固定具本体２００は、被検体の両手および両手首を載置するための載置台１２０と、載置台１２０を支える２つの脚部１１０を有している。
【００４８】
図７は、載置台１２０の分解図である。
【００４９】
載置台１２０は、載置台基部３０と、載置台基部３０に取り付けられる載置台本体４０と、を有している。
【００５０】
載置台基部３０は、６個のねじ孔３１Ａ〜３１Ｆを有している。載置台本体４０は、載置台基部３０の６個のねじ孔３１Ａ〜３１Ｆに対応する６個の貫通孔４１Ａ〜４１Ｆを有している。載置台本体４０は、６個のねじ１２１Ａ〜１２１Ｆによって、載置台基部３０に取り付けられる。尚、本形態の固定具１００では、固定具１００を使用するユーザが、ねじ１２１Ａ〜１２１Ｆを締めたり、締めたねじ１２１Ａ〜１２１Ｆを取り外すことができる。したがって、載置台本体４０は、固定具１００を使用するユーザによって、載置台基部３０に着脱自在に取り付けられるように構成されている。
【００５１】
図８は、載置台本体４０の分解斜視図である。
【００５２】
載置台本体４０は、低反発部材４７と、低反発部材４７を支持する支持部材４２と、を有している。
【００５３】
支持部材４２の表面には、側面４３１、４３２、および４３３に沿うように延在する隆起部４４が形成されている。隆起部４４には、６個の貫通孔ａ１〜ｆ１が形成されている。また、支持部材４２の表面には、隆起部４４から分離して設けられた別の隆起部４５が形成されている。隆起部４４および４５によって、隆起部４４と隆起部４５との間には、凹部４６が形成されている。この凹部４６は、支持部材４２の２つの側端縁４３Ｒおよび４３Ｌにまで延在している。凹部４６と隆起部４４との間には、傾斜部１４４が形成されており、凹部４６と隆起部４５との間には、傾斜部１４５が形成されている。
【００５４】
低反発部材４７は、圧力が加えられると変形するが、圧力が取り除かれると、ゆっくりと元の形状に戻る変形可能な部材である。低反発部材４７は、支持部材４２の表面に貼り付けられる。低反発部材４７は、支持部材４２の６個の貫通孔ａ１〜ｆ１に対応する６個の貫通孔ａ２〜ｆ２を有している。したがって、低反発部材４７を支持部材４２の表面に貼り付けると、低反発部材４７の貫通孔ａ２〜ｆ２が、それぞれ支持部材４２の貫通孔ａ１〜ｆ１に繋がり、その結果、６個の貫通孔４１Ａ〜４１Ｆ（図７参照）が形成される。
【００５５】
また、低反発部材４７は柔軟性を有しているので、低反発部材４７を支持部材４２の表面に貼り付けると、低反発部材４７は支持部材４２の表面形状と同様の形状に変形する。したがって、低反発部材４７は、支持部材４２に貼り付けられることによって、支持部材４２の隆起部４４および４５に対応する隆起部４４１および４５１を有する。この２つの隆起部４４１および４５１によって、低反発部材４７には、隆起部４４１と隆起部４５１との間に、凹部４６１が形成される。この凹部４６１は、被検体８の右手および右手首が載置される右側凹部４６１Ｒと、被検体８の左手および左手首が載置される左側凹部４６１Ｌと、を有している。右側凹部４６１Ｒの底面が載置面５０Ｒとして使用され、左側凹部４６１Ｌの底面が載置面５０Ｌとして使用される。
【００５６】
本形態では、載置面５０Ｒは、載置面５０Ｌに繋がるように形成されている。しかし、載置面５０Ｒと載置面５０Ｌとの間に、載置面５０Ｒを載置面５０Ｌから分離するための仕切り部を設けてもよい。
【００５７】
尚、低反発部材４７に凹部４６１を設けずに、低反発部材４７の表面を平坦面にし、この平坦面に載置面５０Ｒおよび５０Ｌを備えてもよい。
【００５８】
図９は、支持部材４２の裏面図である。
【００５９】
支持部材４２の裏面は、５つの裏面４４ａ、４５ａ、４６ａ、１４４ａ、および１４５ａから構成されている。
【００６０】
裏面４４ａおよび４５ａは、それぞれ隆起部４４および４５（図８参照）の裏面である。裏面４６ａは凹部４６（図８参照）の裏面である。裏面１４４ａおよび１４５ｂは、それぞれ傾斜部１４４および１４５の裏面である。
【００６１】
支持部材４２の裏面４６ａには、ＭＲ信号を受信するための４つのコイルエレメントＣＲ、ＣＬ、ＣＣ、およびＣＥが形成されている。コイルエレメントＣＲ、ＣＬ、およびＣＣはループコイルエレメントであり、コイルエレメントＣＥは８の字コイルエレメントである。
【００６２】
ループコイルエレメントＣＲは、右手からのＭＲ信号を受信するためのコイルエレメントである。ループコイルエレメントＣＬは、左手からのＭＲ信号を受信するためのコイルエレメントである。８の字コイルエレメントＣＥは、右手首および左手首からのＭＲ信号を受信するためのコイルエレメントである。ループコイルエレメントＣＣは、右手および左手の親指からのＭＲ信号を受信するためのコイルエレメントである。
【００６３】
支持部材４２の裏面には、各コイルエレメントＣＲ、ＣＬ、ＣＣ、およびＣＥに接続されている給電部回路４８およびデカップリング回路４９が搭載されている。更に、支持部材４２の裏面には、各給電部回路４８に接続されたバラン（平衡−不平衡回路）ＢＵも搭載されている。
【００６４】
図１０は、図９のＡ−Ａ断面図である。
【００６５】
バランＢＵは、傾斜部１４４の裏面１４４ａに搭載されている。
【００６６】
尚、バランＢＵを、傾斜部１４４の裏面１４４ａに搭載する代わりに、凹部４６の裏面４６ａに搭載してもよい。図１０には、凹部４６の裏面４６ａに搭載されたバランＢＵが破線で示されている。しかし、バランＢＵを凹部４６の裏面４６ａに搭載した場合、バランＢＵの寸法によって、支持部材４２の厚さｔが大きくなる（ｔ＝Ｔ’）。これに対して、バランＢＵを傾斜部１４４の裏面１４４ａに搭載した場合、支持部材４２の厚さｔはＴ’よりも小さくなる（ｔ＝Ｔ）。したがって、バランＢＵを凹部４６の裏面４６ａに搭載した方が、支持部材４２の厚さを薄くすることができる。
【００６７】
図１１は、図７に示す載置台基部３０の正面図、図１２は、図７に示す載置台基部３０の右側側面図、図１３は、図７に示す載置台基部３０のＡ−Ａ断面図である。
【００６８】
載置台基部３０は、載置台本体４０（図７参照）が着脱自在に取り付けられる取付台３０ａを有している。取付台３０ａには、６個のねじ孔３１Ａ〜３１Ｆ（図７参照）が形成されている。また、取付台３０ａの前端３０ｂには、２つの円柱状の突起３２が設けられている。突起３２には、回動軸１１１（図６参照）が軸通される軸孔３２ａが形成されている。
【００６９】
取付台３０ａの側部には、後述する押え蓋３００（図２参照）が開かないようにするための２つの止め具３３Ｒおよび３３Ｌが取り付けられている。
【００７０】
また、載置台基部３０は、図１１に示すように、２つの外側側板３４を有している。各外側側板３４には、図１２に示すように、２つの湾曲状の貫通孔３５および３６が形成されている。
【００７１】
また、載置台基部３０は、図１１に示すように、取付台３０ａの下に、２つの内側側板３７を有している。内側側板３７は、外側側板３４との間に隙間３８が形成されるように設けられている。
【００７２】
載置台基部３０は、上記のように構成されている。載置台基部３０には、２つの脚部１１０（図６参照）が取り付けられる。
【００７３】
図１４は、２つの脚部１１０の分解図である。
【００７４】
脚部１１０は、下側脚部１０１と、上側脚部１０２と、ストッパ１０３と、を有している。
【００７５】
下側脚部１０１は、ｘ方向に延在する棒状体１１を有している。また、下側脚部１０１は、棒状体１１の両端に設けられた長方形状の２つの長板１２を有している。更に、下側脚部１０１は、棒状体１１の中央に設けられた平板１４を有している。平板１４はｘｚ面内に広がるように設けられている。平板１４には、４組の貫通孔のペア１５〜１８が形成されている。
【００７６】
図１５は、下側脚部１０１の上面図である。
【００７７】
２つの長板１２は棒状体１１の側面αの側に設けられており、平板１４は棒状体１１の反対側の側面βの側に設けられている。
【００７８】
図１４に戻って説明を続ける。
【００７９】
上側脚部１０２は、下側脚部１０１の平板１４に摺動自在に接触する摺動面２４を有している。また、上側脚部１０２は、下側脚部１０１の長板１２に摺動自在に接触する摺動面２２を有している。摺動面２２は、摺動面２４が設けられている側とは反対側に設けられている。上側脚部１０２は、摺動面２２および２４を有しているので、上側脚部１０２を下側脚部１０１に差し込むと、上側脚部１０２は下側脚部１０１に対して摺動自在に嵌合する（図６参照）。
【００８０】
上側脚部１０２の上側角部には、凸部２６が形成されている。この凸部２６には、回動軸１１１（図６参照）が軸通される軸孔２６ａが形成されている。
【００８１】
また、上部脚部１０２には、締め具１３１（図６参照）に螺合するねじ孔２８と、締め具１３２（図６参照）に螺合するねじ孔２９と、が形成されている。
【００８２】
更に、上側脚部１０２の摺動面２４の内側には、一組の貫通孔のペア２５が形成されている。上部脚部１０２を下部脚部１０１に摺動させることによって、上側脚部１０２の貫通孔のペア２５は、下側脚部１０１の貫通孔の各ペア１５〜１８に連通する。
【００８３】
ストッパ１０３は、一組の挿通軸のペア１０３ａを有している。挿通軸のペア１０３ａは、上部脚部１０２の貫通孔のペア２５と、下部脚部１０１の貫通孔の各ペア１５〜１８と、に挿通できるように形成されている。
【００８４】
ストッパ１０３を使用することによって、脚部１１０の高さを４段階で調節することが可能である。
【００８５】
図１６は、高さの異なる脚部１１０を示す図である。
【００８６】
図１６（ａ）〜（ｄ）には、脚部１１０が高さの低い順で示されている。図１６（ａ）では、上部脚部１０２の貫通孔のペア２５は、下部脚部１０１の一番下の貫通孔のペア１５（図１４参照）に連通している。ストッパ１０３（図示せず）は、上部脚部１０２の貫通孔のペア２５と、下部脚部１０１の貫通孔のペア１５（図１４参照）と、に連通される。脚部１１０の高さを一段高くするには、上部脚部１０２を一段上にスライドさせてストッパ１０３（図示せず）を平板１４の貫通孔のペア１６（図１４参照）に挿通すればよい（図１６（ｂ）参照）。同様のやり方で、脚部１１０を更に高くすることができる（図１６（ｃ）および（ｄ）参照）。図１６（ｄ）に示される脚部１１０が、一番高くなっている。
【００８７】
図１６に示すように、脚部１１０の高さは４段階で調節することができる。尚、脚部１１０は、高さを調節できないように構成することも可能である。
【００８８】
上記のように構成された２つの脚部１１０が、載置台１２０（図６参照）に取り付けられる。２つの脚部１１０がどのようにして載置台１２０に取り付けられるかについて、図１７〜図１９を参照しながら説明する。
【００８９】
図１７は、取付け前の載置台１２０および２つの脚部１１０の正面図、図１８は、図１７の右側側面図である。
【００９０】
載置台１２０の載置台基部３０は、外側側板３４と内側側板３７と間に隙間３８を有している。２つの脚部１１０は隙間３８に差し込まれる。
【００９１】
図１９は、２つの脚部１１０が隙間３８に差し込まれた後の載置台１２０および２つの脚部１１０の正面図、図２０は、図１９の右側側面図である。
【００９２】
脚部１１０は、上側脚部１０２を有している（図１７参照）。この上側脚部１０２の一部が載置台１２０の隙間３８に差し込まれる。隙間３８の幅は、上側脚部１０２の幅よりもわずかに広くなるように調節されている。したがって、上側脚部１０２は、外側側板３４と内側側板３７との両方の側板と摺動することができる。
【００９３】
また、差し込まれた脚部１１０が、載置台１２０から落ちないようにするため、回動軸１１１（図２０参照）が、脚部１１０の軸孔２６ａと載置台１２０の軸孔３２ａとに挿通される。このようにして、２つの脚部１１０が載置台１２０に取り付けられる。
【００９４】
脚部１１０は２つのねじ孔２８および２９を有している。脚部１１０のねじ孔２８は、載置台１２０の貫通孔３５の内側に位置するように形成されており、脚部１１０のねじ孔２９は、載置台１２０の貫通孔３６の内側に位置するように形成されている。
【００９５】
載置台１２０には、回動軸１１１によって２つの脚部１１０が取り付けられる。したがって、載置台１２０を２つの脚部１１０に対して回動させることができる。
【００９６】
図２１は、載置台１２０を２つの脚部１１０に対して回動させた後の載置台１２０および２つの脚部１１０の正面図、図２２は、図２１の右側側面図である。
【００９７】
載置台１２０は、回動軸１１１を中心に、角度θの範囲で回動することができる。載置台１２０の貫通孔３５は、回動軸１１１を中心とした円弧ＳＣ１に沿うように形成されており、載置台１２０の貫通孔３６は、回動軸１１１を中心とした円弧ＳＣ２に沿うように形成されている。したがって、載置台１２０を角度θの範囲で回動させても、脚部１１０のねじ孔２８は、載置台１２０の貫通孔３５の内側に位置しており、脚部１１０のねじ孔２９は、載置台１２０の貫通孔３６の内側に位置している。
【００９８】
載置台１２０を角度θの範囲で回動させることによって、載置台１２０の右用載置面５０Ｒおよび左用載置面５０Ｌの傾斜角度を角度θの範囲で調節することができる。ただし、載置台１２０を回動させただけでは、載置台１２０の重みで、載置台１２０は角度θ＝０度の位置（図２０参照）に戻ってしまう。そこで、載置台１２０が角度θ＝０の位置に戻らないようにするため、載置台１２０を回動させた後、締め具１３１および１３２（図６参照）を用いて、載置台１２０を２つの脚部１１０に固定する。具体的には、締め具１３１を、載置台１２０の貫通孔３５を通して、脚部１１０のねじ孔２８に螺合させるとともに、締め具１３２を、載置台１２０の貫通孔３６を通して、脚部１１０のねじ孔２９に螺合させる。これによって、締め具１３１および１３２が載置台１２０の外側側板３４を脚部１１０の上側脚部１０２に押し付けるので、載置台１２０が脚部１１０に固定される。
【００９９】
図５に戻って説明を続ける。
【０１００】
固定具１００は、固定具本体２００に取り付けられる押え蓋３００を有している。
【０１０１】
図２３は、押え蓋３００の分解図である。
【０１０２】
押え蓋３００は、押え蓋基部３１０と、押え蓋基部３１０に取り付けられる押え蓋本体３４０と、を有している。
【０１０３】
押え蓋基部３１０は、押え蓋本体３４０が取り付けられる取付面３１２を有している。取付面３１２には、６個のねじ孔３１１Ａ〜３１１Ｆが形成されている。また、押え蓋基部３１０は、後方側の角部３１３および３１４が、切り欠かれた形状を有している（図３参照）。
【０１０４】
押え蓋本体３４０は、支持部材３２０と、低反発部材３３０と、を有している。
【０１０５】
支持部材３２０は、５個の側面３２２〜３２６に沿うように延在する隆起部３２７を有している。隆起部３２７には、押え蓋基部３１０の６個のねじ孔３１１Ａ〜３１１Ｆに対応する６個の貫通孔３２１Ａ〜３２１Ｆが形成されている。また、支持部材３２０は、隆起部３２７から分離して設けられた別の隆起部３２８を有している。隆起部３２７および３２８によって、隆起部３２７と隆起部３２８との間には、凹部３２９が形成されている。支持部材３２０の裏面には、固定具本体２００の支持部材４２と同様に、４つのコイルエレメントＣＲ、ＣＬ、ＣＣ、およびＣＥが形成されている（図９参照）。
【０１０６】
低反発部材３３０は、支持部材３２０に貼り付けられる。低反発部材３３０は、支持部材３２０の６個の貫通孔３２１Ａ〜３２１Ｆに対応する６個の貫通孔３３１Ａ〜３３１Ｆを有している。低反発部材３３０は柔軟性を有しているので、低反発部材３３０を支持部材３２０に貼り付けると、低反発部材３３０は支持部材３２０の表面形状と同様の形状に変形する。したがって、低反発部材３３０は、支持部材３２０に貼り付けられることによって、支持部材３２０の隆起部３２７および３２８に対応する隆起部３３７および３３８を有する。この２つの隆起部３３７および３３８によって、低反発部材３３０には、隆起部３３７と隆起部３３８との間に、凹部３３９が形成される。この凹部３３９の底面が、押え面５１Ｒおよび５１Ｌとして使用される。
【０１０７】
支持部材３２０は、低反発部材３３０が貼り付けられた状態で、６個のねじ３０１Ａ〜３０１Ｆによって、押え蓋基部３１０にねじ止めされている。尚、本形態の固定具１００では、固定具１００を使用するユーザが、ねじ３０１Ａ〜３０１Ｆを締めたり、締めたねじ３０１Ａ〜３０１Ｆを取り外すことができる。したがって、押え蓋本体３４０は、固定具１００を使用するユーザによって押え蓋基部３１０に着脱自在に取り付けられるように構成されている。
【０１０８】
本形態では、押え面５１Ｒは、押え面５１Ｌに繋がるように形成されている。しかし、押え面５１Ｒと押え面５１Ｌとの間に、押え面５１Ｒを押え面５１Ｌから分離するための仕切り部を設けてもよい。
【０１０９】
尚、低反発部材３３０に凹部３３９を設けずに、低反発部材３３０の表面を平坦面にし、この平坦面に押え面５１Ｒおよび５１Ｌを備えてもよい。
【０１１０】
上記のように構成された押え蓋３００が固定具本体２００に取り付けられることによって、固定具１００（図２参照）が構成されている。固定具１００を用いて、被検体８の両手および両手首が撮像される（図１参照）。
【０１１１】
次に、被検体８の両手および両手首を撮像する場合に、被検体８をどのような姿勢でテーブル４（図１参照）に寝かせているかについて説明する。
【０１１２】
高品質なＭＲ画像を得るためには、被検体８は、撮像中、できるだけ動かずに一定の姿勢を保持することが望まれるが、一方、被検体８にとっては、一定の姿勢を維持し続けることは大きな負担になる。そこで、本形態では、被検体８が一定の姿勢を保持し続けても被検体８に負担が掛からないように、被検体８を、以下のような姿勢に保持する。
【０１１３】
図２４は、被検体８をどのような姿勢に保持するかの説明図である。
【０１１４】
先ず、被検体８はテーブル４に寝かされる。被検体８の上半身は、上半身保持部材５００によって斜めに起こされている。
【０１１５】
次に、被検体８の両手および両手首を、固定具１００によって固定する。このため、ＭＲＩ装置の技師は、被検体８の体が固定具１００の２つの脚部１１０の間に収容されるように、固定具１００を被検体８の上に設置する。その後、固定具１００の押え蓋３００を開く。押え蓋３００を開くと、載置面５０Ｒおよび５０Ｌが露出する。被検体８の右手８ａおよび右手首８ｂは、載置面５０Ｒに載置され、被検体８の左手８ｃおよび左手首８ｄは、載置面５０Ｌに載置される。被検体８の両手および両手首が載置面５０Ｒおよび５０Ｌに載置されるので、被検体８は、撮像中、両手および両手首を長時間同じ位置に容易に保持することができ、被検体８への負担が軽減される。
【０１１６】
図２５は、載置面５０Ｒおよび５０Ｌに載置された両手および両手首を示す図である。
【０１１７】
載置面５０Ｒおよび５０Ｌは同一面内に設けられている。したがって、右手８ａおよび右手首８ｂを載置面５０Ｒに載置するとともに、被検体８の左手８ｃおよび左手首８ｄを載置面５０Ｌに載置すると、右手８ａおよび右手首８ｂ並びに左手８ｃおよび左手首８ｄが同一面内に配置される。
【０１１８】
右手８ａは、固定具本体２００のループコイルエレメントＣＲの上に配置される。一方、左手８ｂは、固定具本体２００のループコイルエレメントＣＬの上に配置される。
【０１１９】
右手首８ｂおよび左手首８ｄは、固定具本体２００の８の字コイルエレメントＣＥの上に配置される。また、右手８ａおよび左手８ｃの親指は、ループコイルエレメントＣＣの上に配置される。
【０１２０】
図２５に示すように両手および両手首を載置面５０Ｒおよび５０Ｌに配置した後、固定具１００の押え蓋３００を閉める。
【０１２１】
押え蓋３００を閉めると、右手８ａは、固定具本体２００のループコイルエレメントＣＲ（図２５参照）と押え蓋３００のループコイルエレメントＣＲ（図２３参照）との間に配置される。一方、左手８ｂは、固定具本体２００のループコイルエレメントＣＬ（図２５参照）と押え蓋３００のループコイルエレメントＣＬ（図２３参照）との間に配置される。したがって、右手８ａおよび左手８ｃのＭＲ信号を収集することができる。更に、右手首８ｂおよび左手首８ｄは、固定具本体２００の８の字コイルエレメントＣＥ（図２５参照）と押え蓋３００の８の字コイルエレメントＣＥ（図２３参照）との間に配置される。したがって、右手首８ｂおよび左手首８ｄのＭＲ信号を収集することができる。
【０１２２】
また、固定具本体２００にはループコイルエレメントＣＣ（図２５参照）も備えられており、押え蓋３００にはループコイルエレメントＣＣ（図２３参照）も備えられている。これらのエレメントＣＣによって、右手８ａおよび左手８ｃの親指の高品質なＭＲ画像を得ることができる。
【０１２３】
押え蓋３００を閉めることによって、押え蓋３００の押え面５１Ｒ（図２４参照）が右手８ａおよび右手首８ｂを押えるとともに、押え蓋３００の押え面５１Ｌ（図２４参照）が左手８ｃおよび左手首８ｄを押える。載置面５０Ｒおよび５０Ｌは低反発部材４７に設けられており（図８参照）、押え面５１Ｒおよび５１Ｌは低反発部材３３０に設けられている（図２３参照）ので、押え蓋３００を閉めると、低反発部材４７および３３０は被検体８の両手および両手首の形に変形する。したがって、固定具１００は、被検体８に苦痛を感じさせることなく、被検体８の両手および両手首を固定することができる。低反発部材４７および３３０の材料としては、例えば、ウレタンを用いることができる。また、低反発部材４７および３３０の代わりに、ゴムなどの弾性部材を用いることができる。尚、載置面５０Ｒおよび５０Ｌ並びに押え面５１Ｒおよび５１Ｌを、低反発部材ではなく、弾力性を有していない硬い部材に設けることも可能である。
【０１２４】
押え蓋３００を閉じた後、押え蓋３００が開かないように止め具３３Ｒおよび３３Ｌで押え蓋３００を固定具本体２００に固定する。したがって、右手８ａおよび右手首８ｂ並びに左手８ｃおよび左手首８ｄが固定具１００によって固定される。
【０１２５】
次に、被検体８の肘を支持する。肘を支持するために、右肘および左肘は、それぞれ右肘支持台６００および左肘支持台（図示せず）の上に置かれる（図１参照）。また、被検体８の両肘にはベルト７００が取り付けられる（図１参照）。ベルト７００は、右肘にｘ１方向（横方向）の力を加え、左肘にｘ２方向（ｘ１方向とは反対方向）の力を加えるように、被検体８に取り付けられる。
【０１２６】
右肘支持台６００および左肘支持台（図示せず）は、それぞれ右肘および左肘を下から支持する。一方、ベルト７００は、右肘にｘ１方向（横方向）の力を加え、左肘にｘ２方向（ｘ１方向とは反対方向）の力を加えることによって、右肘および左肘を横から支持する。このようにして、被検体８の肘が支持される。被検体８の肘を支持することによって、被検体８は、撮像中に両肘を肘支持台およびベルトに預けることができる。したがって、撮像時間が長時間にわたっても、被検体８が苦痛を感じないようにすることができる。
【０１２７】
右手８ａおよび右手首８ｂ並びに左手８ｃおよび左手首８ｄは同一面内に配置されているので、両手および両手首をＭＲ画像に同時に表示させることができる。したがって、右手８ａおよび右手首８ｂと左手８ｃおよび左手首８ｄとの比較を容易に行うことができる。
【０１２８】
固定具１００を使用するユーザ（例えば、ＭＲＩ装置１の技師）は、載置台本体４０を載置台基部３０に着脱自在に取り付けたり、押え蓋本体３４０を押え蓋基部３１０に着脱自在に取り付けることができる。したがって、ユーザは、載置台本体４０とは異なるコイルエレメントを有する別の載置台本体を載置台基部３０に取り付けたり、押え蓋本体３４０とは異なるコイルエレメントを有する別の押え蓋本体を押え蓋基部３１０に取り付けることができる。固定具１００がこのような構造を有することによって、ユーザは、取得したいＭＲ画像に最適なコイルエレメントを有する載置台本体および押え蓋本体を、それぞれ載置台基部３０および押え蓋基部３１０に取り付けることが可能となる。尚、載置台本体４０および押え蓋本体３４０を、それぞれ載置台基部３０および押え蓋基部３１０から取り外しできないような構造にすることも可能である。
【０１２９】
固定具１００の２つの脚部１１０は、高さを４段階に調節することができる。したがって、個々の被検体の体格に応じて、載置台本体４０を最適な高さに調節することができる。尚、２つの脚部１１０は、高さをもっと細かく調節できるように構成してもよく、逆に、もっと粗い調節しかできないように構成することも可能である。
【０１３０】
固定具１００は、載置台１２０を回動させることによって、載置台本体４０の傾斜角θを調節することができる。したがって、被検体８の両腕を、被検体８が最も苦痛を感じない角度に固定することができる。尚、載置台本体４０の傾斜角θが調節できないように固定具１００を構成することも可能である。
【０１３１】
本形態では、押え蓋３００の後方側の角部３１３および３１４（図３参照）は、切り欠かれた形状を有している。したがって、載置台本体４０の傾斜角θを最大にした状態で固定具１００をボア３に搬入しても、押え蓋３００の角部３１３および３１４が、ボア３の内壁に接触しないようにすることができる。
【０１３２】
また、被検体８の両手は、載置台本体４０に載置されているので、被検体８をボア３内に搬入すると、被検体８の両手は、マグネットセンターＭＣよりも上側の位置Ｐ１に到達する（図２参照）。したがって、被検体８の両手は、ＭＲＩ装置１のマグネットセンターＭＣよりも上側に位置することになる。高品質のＭＲ画像を取得するには、撮像対象である両手は、できるだけ、マグネットセンターＭＣに近いことが要求される。被検体８の両手は、固定具１００の載置台本体４０に載置されているので（図２４参照）、被検体８の両手をマグネットセンターＭＣに近づけるには、載置台本体４０の厚さはできるだけ薄いことが望ましい。載置台本体４０の厚さを薄くすると、被検体８の両手の位置を下げることができるので、被検体８の両手および両手首をマグネットセンターＭＣに近づけることができる。本形態では、載置台本体４０の厚さをできるだけ薄くするために、載置台本体４０の支持部材４２に取り付けられているバランＢＵは（図１０参照）、支持部材４２の傾斜部１４４の裏面１４４ａに搭載されている。バランＢＵを傾斜部１４４の裏面１４４ａに搭載した場合、バランＢＵを凹部４６の裏面４６ａに搭載するよりも、支持部材４２の厚さｔが薄くなるので、載置台本体４０の厚さを薄くすることができる。したがって、被検体８の両手および両手首の位置をマグネットセンターＭＣに近づけることができる。
【０１３３】
尚、固定具１００は、被検体８の両手および両手首を固定する役割と、被検体８からＭＲ信号を受信する受信コイルの役割と、を有している。しかし、固定具１００を被検体８の両手および両手首を固定する専用の器具として使用し、固定具１００とは別に用意したコイルで被検体８からＭＲ信号を受信してもよい。また、固定具１００は、被検体８にＲＦパルスを送信する送信コイルの役割を有するように構成することも可能である。
【０１３４】
また、固定具１００は押え蓋３００を備えた構成を有しているが、押え蓋３００を備えていない構成にすることも可能である。
【符号の説明】
【０１３５】
１  ＭＲＩ装置
２  マグネットシステム
３  ボア
４  テーブル
５  クレドール
８  被検体
８ａ  右手
８ｂ  右手首
８ｃ  左手
８ｄ  左手首
１１  棒状体
１２  長板
１４  平板
１５、１６、１７、１８、２５  貫通孔のペア
２２、２４  摺動面
２６  凸部
２６ａ、３２ａ  軸孔
２８、２９  ねじ孔
３０  載置台基部
３０ａ  取付台
３０ｂ  前端
３２  突起
３３Ｒ、３３Ｌ  止め具
３４  外側側板
３５、３６  貫通孔
３７  内側側板
３８  隙間
４０  載置台本体
４２、３２０  支持部材
４３Ｒ、４３Ｌ  側端縁
４４、４５、３２７、３２８、３３７、３３８、４４１、４５１  隆起部
４６、３２９、３３９、４６１  凹部
４６ａ、４６ｂ  裏面
４７、３３０  低反発部材
４８  給電部回路
４９  デカップリング回路
５０Ｒ  右用載置面５０Ｒ
５０Ｌ  左用載置面５０Ｌ
５１Ｒ、５１Ｌ  押え面
１００  固定具
１０１  下側脚部
１０２  上側脚部
１０３  ストッパ
１０３ａ  挿通軸のペア
１１０  脚部
１１１  回動軸
１２０  載置台
１３１、１３２  締め具
２００  固定具本体
３００  押え蓋
３１０  押え蓋基部
３１２  取付面
３１３、３１４  角部
３２２、３２３、３２４、３２５、３２６、４３１、４３２、４３３  側面
３４０  押え蓋本体
４００Ｒ、４００Ｌ  蝶番
４０１Ｒ、４０１Ｌ、４０２Ｒ、４０２Ｌ  平板部
４６１Ｒ  右側凹部
４６１Ｌ  左側凹部
５００  上半身支持部材
６００  肘支持部材
７００  ベルト
【図１】
0005512012.tif 000002
【図２】
0005512012.tif 000003
【図３】
0005512012.tif 000004
【図４】
0005512012.tif 000005
【図５】
0005512012.tif 000006
【図６】
0005512012.tif 000007
【図７】
0005512012.tif 000008
【図８】
0005512012.tif 000009
【図９】
0005512012.tif 000010
【図１０】
0005512012.tif 000011
【図１１】
0005512012.tif 000012
【図１２】
0005512012.tif 000013
【図１３】
0005512012.tif 000014
【図１４】
0005512012.tif 000015
【図１５】
0005512012.tif 000016
【図１６】
0005512012.tif 000017
【図１７】
0005512012.tif 000018
【図１８】
0005512012.tif 000019
【図１９】
0005512012.tif 000020
【図２０】
0005512012.tif 000021
【図２１】
0005512012.tif 000022
【図２２】
0005512012.tif 000023
【図２３】
0005512012.tif 000024
【図２４】
0005512012.tif 000025
【図２５】
0005512012.tif 000026